(57)【要約】【課題】小サイズ記録材が中央通紙基準線から横に位置ずれした状態で片側基準搬送のように画像形成装置内に給紙・搬送されてしまう場合、大きい定着ベルトの寄り力が発生する。定着ベルトの寄り力が大きい場合には、定着ベルトやベルト規制板が短寿命になってしまう。更に定着ベルトの寄り力が強い場合には定着ベルトの端部が破損したり、定着ベルトが座屈してしまう【解決手段】転写材が中央基準で通紙される定着装置で、定着部材に送風することで定着部材を冷却する複数の冷却手段が長手方向両端部付近に配置され、定着部材の長手方向両端部付近で小サイズ通紙時に非通紙領域となる位置に配置された複数の定着部材温度検知手段の検知結果に基づき、それぞれの冷却手段が個別に制御することで、小サイズ記録材が中央通紙基準線から横に位置ずれした状態で片側基準搬送のように画像形成装置内に給紙・搬送されても、加圧ローラの左右温度差を低減し、定着ベルトの寄り力を低お減する【選択図】図４
2019023681.tif 000002
【特許請求の範囲】
【請求項１】
転写材が中央基準で通紙される定着装置で、定着部材に送風することで定着部材を冷却する複数の冷却手段が長手方向両端部付近に配置され、定着部材の長手方向両端部付近で小サイズ通紙時に非通紙領域となる位置に配置された複数の定着部材温度検知手段の検知結果に基づき、それぞれの冷却手段が個別に制御されることを特徴とした定着装置。
【請求項２】
定着部材の長手両端の温度差を低減するように、それぞれの冷却手段が個別に制御されることを特徴とした請求項1に記載の定着装置。
【発明の詳細な説明】
【技術分野】
【０００１】
本発明は、複写機、プリンタ、ファクシミリ等の電子写真式の画像形成装置の定着装置に関し、特に、互いに回転しながら圧接する圧接領域により定着領域を形成する加熱回転部材および加圧回転部材を有し、未定着トナー像が形成された転写材が前記定着領域を通過する際に前記未定着トナー像を加熱定着する定着装置に関する。
【背景技術】
【０００２】
従来、前記画像形成装置で未定着トナー像を用紙（ 転写材） に定着する定着方式として、定着性のよさなどから用紙の未定着トナー像を加熱、溶融して用紙に定着させる熱定着方式が一般に用いられている。
【０００３】
また、近年では、クイックスタートや省エネルギーの観点からベルト加熱方式の加熱装置が実用化されている。即ち、加熱体としての例えばセラミックヒータと、加圧部材としての加圧ローラとの間に加熱部材としての耐熱性樹脂ベルト（ 以下、定着ベルトと記す） を挟ませて圧接ニップ部（ 以下、定着ニップ部と記す） を形成させ、該定着ニップ部の定着ベルトと加圧ローラとの間に未定着トナー画像を形成担持させた記録材を導入して定着ベルトと一緒に挟持搬送させることで、定着ベルトを介してセラミックヒータの熱を与えながら定着ニップ部の加圧力で未定着トナー画像を記録材面に定着させるものである。
【０００４】
このベルト加熱方式の加熱装置は、スタンバイ中のヒータへの通電を必要とせず、画像形成装置がプリント信号を受信してから、ヒータへの通電を行っても記録材が加熱装置に到達するまでに加熱可能な状態にすることが可能である。よって省エネの観点からベルト加熱方式の加熱装置はエネルギーを無駄にしない、優れた加熱定着装置となる。さらには、定着ローラに対向するようにベルトを介して加圧部材を配置する定着方式も提案されている。上記いずれの定着方式を用いた場合にも、紙を定着領域で定着する場合、加熱ロールの通紙域通過表面は略均一な温度分布となる。
【０００５】
しかしながら、最大サイズ紙より幅の小さい小サイズ紙を定着領域で連続定着した場合に、加熱ロールの非通紙域通過表面の温度が過度に上昇する。これは、小サイズ紙を連続的に通紙すると、用紙の通過しない非通紙域では紙による奪熱が無い分だけ、部分的に蓄熱されるためである。この現象は定着装置の端部昇温あるいは非通紙部昇温と称され、定着装置の端部昇温が高温になると、定着部材構成部品や加圧ローラの温度上昇限度を超えるためにこれらの部品のダメージにつながる。
【０００６】
このような、前記非通紙部昇温を防止するべく、定着装置に送風ファンを設けて、非通紙部の加熱ローラおよび加圧ローラに送風することにより、その温度上昇を押さえる構成が知られている。
【０００７】
特開昭60-136779号公報には、定着装置に配置した冷却用ファンから前記非通紙域側に、冷却風を送風している。また、小サイズ通紙時に、非通紙領域の温度を検出する素子を備え、その信号値により、送風ファンのON-OFF制御を行っている。
【先行技術文献】
【特許文献】
【０００８】
【特許文献１】特開昭60-136779号公報
【発明の概要】
【発明が解決しようとする課題】
【０００９】
転写材搬送において、転写材の長手方向中央と定着部材の長手方向中央が一致する中央基準通紙と、転写材の長手方向の一方の端部と定着部材の長手方向の一方の端部が一致する片側基準通紙とがある。小サイズ紙を通紙する場合、中央基準通紙の場合は非通紙領域が長手方向の両端部に振り分けられ、片側基準通紙の場合は非通紙領域が一方の端部となるため、片側基準通紙の場合は一方が非通紙領域がほぼ無く、他方は中央基準通紙に対して非通紙領域の幅が倍となる。非通紙部昇温は非通紙部領域の幅が広いほど高温となるため、片側基準通紙の方が非通紙部昇温の温度は高くなる。
【００１０】
片側基準通紙の方が小サイズ通紙時の両端の温度差が大きくなることから、両端の加圧ローラの膨張量に差ができてしまい、定着ベルトが回転方向に直進せず、長手方向の非通紙部昇温の温度が低い方に寄ってしまうという、所謂、定着ベルトの寄り現象が発生する。中央基準通紙の場合は通常であれば定着ベルトの寄りは発生しないか、もしくは非常に弱い力である。しかしながら、給紙部に対する記録材のセットの際の操作誤りで、小サイズ記録材が中央基準で正しくセットされていない事態を往々にして生じ得る。
【００１１】
このことにより、小サイズ記録材が中央通紙基準線から横に位置ずれした状態で片側基準搬送のように画像形成装置内に給紙・搬送されてしまう可能性がある。この定着ベルトの寄りに対し、ベルト端部を規制ガイドに当てて寄りを防止するいわゆるガイド規制方式が採用されている。ガイド規制方式の場合、ベルトの位置検知手段や、ベルトの位置制御手段が必要なく、定着装置を簡易にでき、安価な装置を提供できる。しかしながらガイド規制方式の場合、ベルト端部が規制ガイドに当接するため、定着ベルトの端部やガイド規制板自身が耐久に因って削れていく。
【００１２】
定着ベルトの寄り力が大きい場合には、この削れる量が多くなるため、定着ベルトやベルト規制板が短寿命になってしまう。更に定着ベルトの寄り力が強い場合には定着ベルトの端部が破損したり、定着ベルトが座屈してしまうという問題が発生する場合もある。
【課題を解決するための手段】
【００１３】
上記目的を達成するため、請求項１に記載の発明は、定着部材に送風することで定着部材を冷却する複数の冷却手段が長手方向両端部付近に配置され、定着部材の長手方向両端部付近で小サイズ通紙時に非通紙領域となる位置に配置された複数の定着部材温度検知手段の検知結果に基づき、それぞれの冷却手段が個別に制御される定着装置
請求項２に記載の発明は定着部材の定着部材の長手方向両端部付近の温度が同じになるように制御することを特徴とする。
【発明の効果】
【００１４】
定着部材を冷却する複数の冷却手段を長手方向両端部付近に配置し、定着部材の長手方向両端部付近で小サイズ通紙時に非通紙領域となる位置に配置された複数の定着部材温度検知手段の検知結果に基づき、それぞれの冷却手段を個別に制御する。これにより、例え給紙部に対する記録材のセットが正しく行われなくても、非通紙部昇温の長手差を小さくすることが可能となる。したがって加圧ベルトの長手膨張差を小さくできなることから、定着ベルトの寄り力を小さくすることが可能となり、定着ベルト端部やベルト規制板の摩耗が少なくなり、定着ベルト端部破損や挫屈も防止できるため、定着ベルトの長寿命化が可能となる。
【図面の簡単な説明】
【００１５】
【図１】画像形成装置の構成の説明図
【図２】定着装置の概略構成模型図
【図３】フランジ部材と、補給板金の分解斜視図である
【図４】実施例１の温度制御のフローチャートである
【図５】本実施例の定着装置を転写材Ｐの進入方向から見た図
【図６】定着ベルトおよび加圧ローラの表面温度のグラフ
【図７】加圧ローラの表面温度と外径の関係を示すグラフ
【図８】加圧ローラの室温時と小サイズ通紙時の外径分布を示す
【図９】小サイズ記録材が中央基準で正しくセットされなかった場合の、定着装置を転写材Ｐの進入方向から見た図
【図１０】小サイズ記録材が中央基準で正しくセットされなかった場合の、本実施例１の温度制御のフローチャートである
【図１１】小サイズ記録材が中央基準で正しくセットされなかった場合の、加圧ローラの室温時と小サイズ通紙時の外径分布を示す
【図１２】左右外形差と寄り力の関係を示すグラフ
【図１３】実施例２の温度制御のフローチャートである
【発明を実施するための形態】
【００１６】
以下、本発明のいくつかの実施形態を、図面を参照して詳細に説明する。本実施形態では、未定着トナー像を記録材に定着させる定着装置について説明するが、本発明は、定着済み画像又は半定着画像を担持した記録材を加熱加圧して画像の表面性状を調整する加熱処理装置としても実施できる。
【００１７】
＜画像形成装置＞
図1は本発明に従う画像加熱装置を定着装置として搭載した画像形成装置の一例である電子写真フルカラープリンタの概略構成を示す縦断面模式図である。まず、画像形成部の概略を説明する。
【００１８】
このプリンタは、制御回路部（制御基板：ＣＰＵ）１００と通信可能に接続した外部ホスト装置（不図示）からの入力画像情報に応じて作像動作して、記録材上にフルカラー画像を形成して出力することができる。  外部ホスト装置は、コンピュータ、イメージリーダー等である。制御回路部１００は、外部ホスト装置と信号の授受をする。また各種作像機器と信号の授受をし、作像シーケンス制御を司る。
【００１９】
８は無端状でフレキシブルな中間転写ベルトであり、二次転写対向ローラ９とテンションロ−ラ１０との間に張架されていて、ローラ９が駆動されることにより矢印の反時計方向に所定の速度で回転駆動される。１１は二次転写ローラであり、上記の二次転写対向ローラ９に対して中間転写ベルト８を介して圧接させてある。中間転写ベルト８と二次転写ローラ１１との当接部が二次転写部である。
【００２０】
１Ｙ・１Ｍ・１Ｃ・１Ｂｋは第１〜第４の４つの画像形成部であり、中間転写ベルト８の下側においてベルト移動方向に沿って所定の間隔をおいて一列に配置されている。各画像形成部はレーザ露光方式の電子写真プロセス機構であり、それぞれ、矢印の時計方向に所定の速度で回転駆動される像担持体としてのドラム型の電子写真感光体（以下、ドラムと略記する）２を有する。
【００２１】
各ドラム２の周囲には、一次帯電器３、現像装置４、転写手段としての転写ローラ５、ドラムクリーナ装置６が配置されている。各転写ローラ５はベルト８の内側に配置してあり、中間転写ベルト８の下行き側ベルト部分を介して対応するドラム２に対して圧接させてある。各ドラム２と中間転写ベルト８との当接部が一次転写部である。７は各画像形成部のドラム２に対するレーザ露光装置であり、与えられる画像情報の時系列電気デジタル画素信号に対応した発光を行うレーザ発光手段、ポリゴンミラー、反射ミラー等で構成されている。
【００２２】
制御回路部１００は外部ホスト装置から入力されたカラー色分解画像信号に基づいて、各画像形成部を作像動作させる。これにより、第１〜第４の画像形成部１Ｙ・１Ｍ・１Ｃ・１Ｂｋにおいて、それぞれ回転するドラム２の面に対して所定の制御タイミングで、イエロー、マゼンタ、シアン、ブラックの色トナー像が形成される。なお、ドラム２にトナー像を形成する電子写真作像原理・プロセスは公知に属するからその説明は省略する。
【００２３】
各画像形成部のドラム２の面に形成される上記のトナー像はそれぞれ一次転写部にて、各ドラム２の回転方向と順方向に、かつ各ドラム２の回転速度に対応した速度で回転駆動されている中間転写ベルト８の外面に対して順次に重畳転写される。これにより、中間転写ベルト８の面に上記の４つのトナー像の重ね合わせによる未定着のフルカラートナー像が合成形成される。
【００２４】
一方、所定の給紙タイミングにて、それぞれ大小各種幅サイズの記録材Ｐを積載収容させた上下多段のカセット給紙部１３Ａ・１３Ｂ・１３Ｃのうちの選択された段位の給紙カセットの給紙ローラ１４が駆動される。これにより、その段位の給紙カセットに積載収納されている記録材Ｐが１枚分離給紙されて縦搬送パス１５を通ってレジストローラ１６に搬送される。手差し給紙が選択されているときには、給紙ローラ１８が駆動される。これにより、手差しトレイ（マルチ・パーパス・トレイ）１７上に積載セットされている記録材が１枚分離給紙されて縦搬送パス１５を通ってレジストローラ１６に搬送される。
【００２５】
レジストローラ１６は、回転する中間転写ベルト８上の上記のフルカラートナー像の先端が二次転写部に到達するタイミングに合わせて記録材Ｐの先端部が二次転写部に到達するように記録材Ｐをタイミング搬送する。これにより、二次転写部において、中間転写ベルト８上のフルカラーのトナー像が一括して記録材Ｐの面に順次に二次転写されていく。二次転写部を出た記録材は、中間転写ベルト８の面から分離され、縦ガイド１９に案内されて、定着装置（定着器）２０に導入される。
【００２６】
この定着装置２０により、上記の複数色のトナー像が溶融混色されて記録材表面に永久固着像として定着される。定着装置２０を出た記録材はフルカラー画像形成物として搬送パス２１を通って排紙ローラ２２により排紙トレイ２３上に送り出される。
【００２７】
二次転写部にて記録材分離後の中間転写ベルト８の面はベルトクリーニング装置１２により二次転写残トナー等の残留付着物の除去を受けて清掃され、繰り返して作像に供される。
【００２８】
モノ黒プリントモードの場合には、ブラックトナー像を形成する第４の画像形成部Ｂｋのみが作像動作制御される。両面プリントモードが選択されている場合には、第１面プリント済みの記録材が排紙ローラ２２により排紙トレイ２３上に送り出されていき、後端部が排紙ローラ２２を通過する直前時点で排紙ローラ２２の回転が逆転に変換される。
【００２９】
これにより、記録材はスイッチバックされて再搬送パス２４に導入される。そして、表裏反転状態になって再びレジストローラ１６に搬送される。以後は、第１面プリント時と同様に、二次転写部、定着装置２０に搬送されて、両面プリント画像形成物として排紙トレイ２３上に送り出される。
【００３０】
（２）定着装置２０
図２は、定着装置２０の概略構成模型図である。ヒーターユニット６０は、加熱体としてのヒーター６００と、該ヒーター６００を支持する支持体としての横断面半円弧桶形のフィルムガイド６６０（ヒーターステー）と、ヒーターユニット６０が、加圧ローラー７０により加圧された際に変形しないために設けられた逆Ｕ字形の補給板金６７０と、円筒形状の耐熱性フィルムからなる定着ベルト６５０とを備えている。
【００３１】
上記ヒーター６００は、記録材Ｐの搬送方向に直交する方向を長手とする絶縁性、耐熱性、低熱容量の窒化アルミニウムやアルミナ等で形成された、厚み１mmの基板６１０と、例えばＡｇ／Ｐｄ（銀／パラジウム）等の電気抵抗材料を約１０μｍ、幅１〜５ｍｍにスクリーン印刷等により塗工して設けた抵抗発熱体６２０、温度検知素子としてのサーミスター６３０〜６３２とを備えており、上記フィルムガイド６６０に、固定的に支持されている。
【００３２】
ヒータ６００はフィルムガイド６６０に固定して支持される。更に、定着ベルト６５０との接触面側の基板６１０には摺動層として厚さ１０μｍ程度のポリイミド層が設けられている。このポリイミド層により、定着ベルト６５０と定着ヒータ６００との摺擦抵抗を低減することで、駆動トルクの低減および定着ベルト６５０内面の磨耗を防止している。定着ベルト６５０は、内面側から外面側に順に、基層、弾性層、離型層の３層複合構造である。
【００３３】
基層は、熱容量を小さくしてクイックスタート性を向上させるために、ベルト膜厚は１００μｍ以下、好ましくは５０μｍ以下２０μｍ以上の耐熱性ベルトを使用できる。例えば、ポリイミド、ポリイミドアミド、ＰＥＥＫ、ＰＥＳ、ＰＰＳ、ＰＴＦＥ、ＰＦＡ、ＦＥＰ等のベルトを使用できる。本実施例では、厚さ４０μm、直径２５ｍｍの円筒状ポリイミドベルトを用いた。弾性層は、ゴム硬度１０度（ＪＩＳ−Ａ）、熱伝導率４．１８６０５×１０−１Ｗ／ｍ・℃（１×１０−３［ｃａｌ／ｃｍ．ｓｅｃ．ｄｅｇ］）、厚さ２００μｍのシリコーンゴムを用いた。離型層２０３は厚さ２０μｍのＰＦＡコート層を用いた。
【００３４】
離型層３３ｃは厚さ２０μｍのＰＦＡコート層を用いた。ＰＦＡチューブを用いても良い。ＰＦＡコートは、厚さが薄く出来、材質的にもＰＦＡチューブに比較してトナーをつつみ込む効果がより大きい点が優れている。一方、機械的及び電気的強度はＰＦＡチューブがＰＦＡコートよりも優っているので、場合により使い分けることが出来る。また、以上のようなヒーターユニット６０の下方には、加圧部材としての加圧ローラー７０が配設されており、該加圧ローラー７０は、芯金７１と、シリコーンゴムからなる弾性層７２と、ＰＴＦＥ、ＰＦＡ、ＦＥＰ等のフッ素樹脂からなる表層７３とで構成される。
【００３５】
本実施例ではステンレス製の芯金上７１に、厚み約３ｍｍのシリコーンゴム層７２、さらに厚み約４０μｍのＰＦＡ樹脂チューブ７３が順に積層された多層構造とされていて外径はおよそ３０ｍｍであり、紙シワ防止のため長手方向に１５０μｍ程度の逆クラウン形状がつけられている。
【００３６】
この加圧ローラ７０の芯金の両端部が装置フレームの不図示の奥側と手前側の側板間に回転可能に軸受保持されている。この加圧ローラー７０は、ヒーターユニット６０に対し、加圧手段（図示せず）により総圧９０〜４２０Nの圧力で加圧されており、記録材Ｐの搬送方向に、駆動系（図示せず）により回転駆動（反時計回り）される。
【００３７】
これにより、円筒形定着ベルト６５０がヒーター６００の発熱体表面に密着摺動して、フィルムガイド６６０の周囲を回動する。本実施例においてはベルトの走行速度が普通紙用の３００mm/ｓと厚紙やコート紙用の１５０mm/ｓの２つの走行速度にすることが可能となっている。ヒータ６００は、ヒータホルダ６６０の下面に該ヒータホルダの長手に沿って固定されており、定着ベルトとその加熱面が摺動可能な構成とされている。
【００３８】
そして、定着ベルト６５０はこのヒータホルダ６６０にルーズに外嵌されている。ヒータホルダ６６０は、耐熱性の高い液晶ポリマー樹脂で形成されており、ヒータ６００を保持するとともに定着ベルト６５０をガイドする役割を果たしている。本例では、液晶ポリマーとして、デュポン社のゼナイト７７５５（商品名）を使用した。ヒータホルダ６６０の両端部は不図示の加圧機構によりその一端側が１５６．８Ｎ（１６ｋｇｆ）、総圧３１３．６Ｎ（３２ｋｇｆ）の力で加圧ローラ７０の軸線方向に付勢されている。
【００３９】
その結果、ヒータ６００の下面（加熱面）を、定着ベルト６５０を介して加圧ローラ７０の弾性層に抗して所定の押圧力をもって圧接させ、定着に必要な所定幅の定着ニップ部Nが形成されている。６３０〜６３２は、それぞれ温度検知手段としてのサーミスタである。サーミスタ６３０（ヒータ温度センサ、第１の温度検知素子）は、熱源であるヒータ６００の裏面（加熱面とは反対側の面）に設置され、ヒータ６００の長手中央の温度を検知する機能を担っている。サーミスタ６３０〜６３２は、それぞれＡ／Ｄコンバータを介して制御手段としての制御回路部（ＣＰＵ）１００に接続されている。
【００４０】
この制御回路部１００はそれぞれのサーミスタからの出力を所定の周期でサンプリングしており、このように得られた温度情報を温度制御および端部冷却ファン制御に反映させる構成となっている。つまり、制御回路部１００は、サーミスタ６３０の出力をもとに、ヒータ６００の温調制御内容を決定し、電力供給部であるヒータ駆動回路部５１によってヒータ６００への通電を制御する。また、制御回路部１００は、サーミスタ６３１および６３２の出力をもとに、端部冷却ファンのモータの通電を制御する。
【００４１】
送風部８０および８１はそれぞれファン８２（送風部材）とファン８３と、ファン８２および８３からの送風をヒーターユニット６０まで導くダクト８４および８５を有する。ファン８２および８３は、電力が供給されるとモータ（不図示）が回転し羽根車が回転することで送風することができる構成である。実施例１のファン８２及び８３は軸流ファンであるが、遠心ファンであっても良い。加圧ローラ７０は矢印の方向に所定の周速度で回転駆動される。これと圧接された関係にある定着ベルト６５０は加圧ローラ７０によって従動し所定の速度で回転する。
【００４２】
このとき、定着ベルト６５０の内面がヒータ６００の下面に密着して摺動しながらヒータホルダ６６０の外回りを矢印の方向に従動回転状態になる。定着ベルト６５０内面にはグリスが塗布され、ヒータホルダ６６０と定着ベルト６５０内面との摺動性を確保している。左右のフランジ部材６８０は、定着ベルト６５０の回転過程における長手に沿う左方或いは右方への寄り移動及びベルト周方向の形状を規制する規制部材である。左右のフランジ部材６８０は左右対称形状であり、それぞれ、補給板金６７０の左右の外方延長腕部に嵌着されている。
【００４３】
図３は、右側のフランジ部材680と、補給板金６７０の右側の外方延長腕部との分解斜視図である。左右のフランジ部材６８０の上記の嵌着状態において、左右のフランジ部材680内面側に配設した円盤状のベルト内側ガイド部６８０が、それぞれ、定着ベルト６５０の左端部側の開口部と右端部側の開口部から定着ベルト６５０の内側に進入している。これにより、定着ベルト６５０の回転過程におけるベルト周方向の形状が規制される。また、左右のフランジ部材６８０の内面に対して、それぞれ、ベルト２１の左端面と右端面が僅少な隙間を存して対向している。
【００４４】
これにより、定着ベルト６５０の回転過程における長手に沿う左方或いは右方への寄り移動が規制される。加圧ローラ７０が回転駆動され、それに伴って円筒状の定着ベルト６５０が従動回転状態になると、ヒータ６００に通電が行われる。そして、ヒータ６００の温度が設定温度に立ち上げり温調された状態のとき、定着ニップ部Nに未定着トナー像を担持した記録材Ｐが入り口ガイドに沿って案内されて導入される。定着ニップ部Nにおいて、記録材Ｐ上のトナー像担持面側が定着ベルト６５０の外面に密着し、記録材Ｐが定着ベルト６５０と共に移動する。
【００４５】
記録材Ｐが定着ニップでの挟持搬送過程において、ヒータ６００からの熱が定着ベルト６５０を介して記録材Ｐに付与され、未定着トナー像が記録材Ｐ上に溶融定着される。定着ニップ部Ｎを通過した記録材Ｐは定着ベルト６５０から分離され排出される。
【００４６】
図４及び図５を使って、本実施例の動作を説明する。図４は本実施例のフローチャートであり、図５は本実施例の定着装置を転写材Ｐの進入方向から見た図で、Ａ４Ｒサイズ（小サイズ）の転写材Ｐが定着装置の中央付近を通過する場合を示している。
【００４７】
まず、ジョブが開始（０００）されると、サーミスタ６３０による検知温度Ｔｈ1に基づき温度制御が行われる。またサーミスタ６３１およびサーミスタ６３２により温度検知が開始される(００１)。本実施例では104ｇｓｍのＡ４Ｒの転写材を通紙している。小サイズ紙が通紙開始されると中央部はＴｈ1に基づいて制御されるため一定の温度であるが、非通紙部の温度は上昇する。サーミスタ６３１で検知される温度Ｔｈ2が２６０℃以下の場合、定着ベルト６５０の表面温度はおよそ２３０℃以下であるため、定着ベルト６５０や加圧ローラ７０の破損の心配が無いため、ファンは動作させない。
【００４８】
転写材の通紙枚数が少なく、Ｔｈ2が２６０℃に達する前に通紙が終了した場合（００４）はジョブを終了する（００５）。通紙枚数が多い場合は、サーミスタ６３１で検知される温度Ｔｈ2が２６０を超える（００２）ため、冷却ファン８２のモータに通電を開始し、ファンを回転させる（００６）。ファン８２で発生した風は、ダクト８４に案内され定着ベルト表面に吹きつけられることで、定着ベルト表面の温度が低下する。所定の間隔でＴｈ2を確認することで、冷却ファンはＯＦＦ/ＯＮ制御され、冷却部８０に対向する定着ベルト表面の温度は２３０℃程度に維持される。
【００４９】
同様にサーミスタ６３２で検知される温度Ｔｈ３が２６０℃以下の場合、ファンは動作させない（００８）。転写材の通紙枚数が少なく、Ｔｈ３が２６０℃に達する前に通紙が終了した場合（００９）はジョブを終了する（００５）。通紙枚数が多い場合は、サーミスタ６３２で検知される温度Ｔｈ３が２６０を超える（００７）ため、冷却ファン８３のモータに通電を開始し、ファンを回転させる（０１０）。ファン８３で発生した風は、ダクト８５に案内され定着ベルト表面に吹きつけられることで、定着ベルト表面の温度が低下する。
【００５０】
所定の間隔でＴｈ３を確認することで、冷却ファンはＯＦＦ/ＯＮ制御され、冷却部８１に対向する定着ベルト表面の温度は２３０℃程度に維持される。また、通紙枚数が多い場合の定着ベルト６５０の表面温度、加圧ローラ７０の表面温度分布を図６に示す。図中の破線は定着ベルトの表面温度分布であり、実線は加圧ローラの表面温度分布である。加圧ローラは通紙領域が90℃程度なのに対し、非通紙部の温度が２１０℃まで上がり、その温度差は１２０℃程度になる。また加圧ローラは充分なニップ幅を得るために、厚い弾性層を有するため、温度上昇時の熱膨張が大きい。
【００５１】
したがって小サイズ通紙時の非通紙部の熱膨張が大きい。図７に本実施例の加圧ローラの表面温度と外径の関係を示す。このグラフから１００℃の温度上昇で0.7ｍｍ程度外径が大きくなるこが分かる。図８に加圧ローラの室温時と小サイズ通紙時の外径分布を示す。非通紙領域で熱膨張により外径が大きく変化しているが、外径の左右差は殆ど無いため、定着ベルトの寄りという問題は発生しない。
【００５２】
次に図４及び図９を使い小サイズ記録材が中央基準で正しくセットされず、小サイズ記録材が中央通紙基準線から横に位置ずれした状態で片側基準搬送のように画像形成装置内に給紙・搬送されてしまう場合を説明する。
【００５３】
まず、ジョブが開始（０００）されると、サーミスタ６３０による検知温度Ｔｈ1に基づき温度制御が行われる。またサーミスタ６３１およびサーミスタ６３２により温度検知が開始される(００１)。本実施例では104ｇｓｍのＡ４Ｒの転写材を通紙している。小サイズ記録材Pが通紙開始されると中央部はＴｈ1に基づいて制御されるため一定の温度であるが、非通紙部の温度は上昇する。本実施例では小サイズ記録材Ｐが冷却部８０に近い側に位置ずれした状態で通紙されている。非通紙部昇温は非通紙部の幅が広いほど温度が高くなるため、冷却部８１側の非通紙部の方が早く昇温する。
【００５４】
したがってサーミスタ６３２で検知される温度Ｔｈ３が先に２６０℃を検知し（００７）、冷却ファン８３のモータに通電を開始し、ファンを回転させる（０１０）。ファン８３で発生した風は、ダクト８５に案内され定着ベルト表面に吹きつけられることで、定着ベルト表面の温度が低下する。所定の間隔でＴｈ３を確認することで、冷却ファンはＯＦＦ/ＯＮ制御され、冷却部８１に対向する定着ベルト表面の温度は２３０℃程度に維持される。
【００５５】
この状態で通紙を継続すると、冷却部８０側も昇温し、サーミスタ６３１で検知される温度Ｔｈ２も２６０℃を検知し（００２）、冷却ファン８２のモータに通電を開始し、ファンを回転させる（００６）。ファン８２で発生した風は、ダクト８４に案内され定着ベルト表面に吹きつけられることで、定着ベルト表面の温度が低下する。所定の間隔でＴｈ２を確認することで、冷却ファンはＯＦＦ/ＯＮ制御され、冷却部８０に対向する定着ベルト表面の温度は２３０℃程度に維持される。
【００５６】
また、通紙枚数が多い場合の定着ベルト６５０の表面温度、加圧ローラ７０の表面温度分布を図１０に示す。図中の破線は定着ベルトの表面温度分布であり、実線は加圧ローラの表面温度分布である。非通紙部の幅が左右で異なっているが、通紙部と非通紙部の温度は小サイズ記録材Pが中央付近を通過した場合と同じで、加圧ローラは通紙領域が90℃程度なのに対し、非通紙部の温度が２１０℃まで上がり、その温度差は１２０℃程度になる。
【００５７】
図１１に加圧ローラの室温時と小サイズ通紙時の外径分布を示す。非通紙領域で熱膨張により外径が大きく変化している。外形の左右差はないが、外形が大きい領域が左右で異なる。定着ベルトの寄りという現象に対し、外形の影響が強く、外形の大きな領域の差の影響は小さいため、定着ベルトの寄りという問題は発生しない。また、非通紙領域の温度が上昇している間は左右温度差があるため、加圧ローラの左右外形差は発生し、寄り力は発生するが、短時間で解消されるため、定着ベルト寿命や破損への影響は少ない
（比較例）
比較例として1つの温度検知手段で両方の冷却手段を制御した場合を説明する。小サイズ記録材Pが定着装置の中央付近を通過する場合は、左右に温度差ができないため、本実施例の場合と同様になり、寄り力は発生しない。図９を使い小サイズ記録材が中央基準で正しくセットされず、小サイズ記録材が中央通紙基準線から横に位置ずれした状態で片側基準搬送のように画像形成装置内に給紙・搬送されてしまう場合を説明する。まず本比較例ではサーミスタ６３１のみで制御した場合を説明する。まず、ジョブが開始されると、サーミスタ６３０による検知温度Ｔｈ1に基づき温度制御が行われる。
【００５８】
またサーミスタ６３１により温度検知が開始される。本比較例では104ｇｓｍのＡ４Ｒの転写材を通紙している。小サイズ記録材Pが通紙開始されると中央部はＴｈ1に基づいて制御されるため一定の温度であるが、非通紙部の温度は上昇する。本実施例では小サイズ記録材Ｐが冷却部８０に近い側に位置ずれした状態で通紙されている。非通紙部昇温は非通紙部の幅が広いほど温度が高くなるため、冷却部８１側の非通紙部の方が早く昇温し、冷却部８０側の温度上昇が遅い。冷却部８１側の温度が２６０℃となっても、サーミスタ６３１の検知温度Ｔｈ２は２６０℃に達していないため、冷却ファン８３のモータに通電は開始されず、温度は２６０℃以上に上昇する。
【００５９】
通紙が継続され冷却部８０側も昇温し、サーミスタ６３１で検知される温度Ｔｈ２も２６０℃を検知し、冷却ファン８２および８３のモータに通電を開始し、ファンを回転させるまで、冷却部８１側の温度は上昇する。その後も冷却部８０側を２６０℃になるようにファン制御されるため、冷却部８１側は２６０℃以上の温度が維持される。本比較例においては、冷却部８１側の温度は３００℃まで上昇し、定着ベルト表面温度も２７０℃まで上昇した。定着ベルトの温度が非常に高温になることで、定着ベルトの弾性層や表層にダメージを与えてしまい寿命や破損の原因になる可能性がある。
【００６０】
また、加圧ローラも左右で４０℃の温度差がついてしまうため、左右の外形差が0.27mm程度ついてしまう。左右に外形差があるため、定着ベルトに強い寄り力が発生する。図１２は左右外形差と寄り力の関係である。このグラフから左右外形差が０．２７mmの時は４．４Ｎの寄り力が発生することがわかる。定着ベルトは加圧の外形が大きい方に寄るため、本比較例では冷却部８１側のフランジ部材６８０が４．４Ｎで定着ベルトは突き当たる。
【００６１】
この状態を長く続けると、定着ベルトの冷却部８１側の端部やフランジ部材６８０の削れる量が多くなるため、定着ベルトやベルト規制板が短寿命になってしまう。更に定着ベルトの寄り力が強い場合には定着ベルトの端部が破損したり、定着ベルトが座屈してしまうという問題が発生する場合もある。
【００６２】
次に本比較例ではサーミスタ６３２のみで制御した場合を説明する。まず、ジョブが開始されると、サーミスタ６３０による検知温度Ｔｈ1に基づき温度制御が行われる。またサーミスタ６３１により温度検知が開始される。本比較例では104ｇｓｍのＡ４Ｒの転写材を通紙している。小サイズ記録材Pが通紙開始されると中央部はＴｈ1に基づいて制御されるため一定の温度であるが、非通紙部の温度は上昇する。本実施例では小サイズ記録材Ｐが冷却部８０に近い側に位置ずれした状態で通紙されている。非通紙部昇温は非通紙部の幅が広いほど温度が高くなるため、冷却部８１側の非通紙部の方が早く昇温し、冷却部８０側の温度上昇が遅い。
【００６３】
冷却部８１側の検知温度Ｔｈ２が２６０℃に達すると冷却ファン８３のモータに通電は開始され、冷却部８１側は２６０℃に維持される。冷却部８０側は２６０℃に達する前に冷却を開始するため、２２０℃程度に維持される。これにより定着ベルト表面温度は、冷却部８０側で１９０℃程度、冷却部８１側で２３０℃程度となる。加圧ローラの表面温度も冷却部８０側で１７０℃程度、冷却部８１側で２１０℃程度となり、左右で４０℃の温度差がついてしまうため、左右の外形差が0.27mm程度ついてしまう。
【００６４】
左右に外形差があるため、定着ベルトに強い寄り力が発生する。定着ベルトは加圧の外形が大きい方に寄るため、本比較例では冷却部８１側のフランジ部材６８０に4.4Ｎで定着ベルトは突き当たる。この状態を長く続けると、定着ベルトの冷却部８１側の端部やフランジ部材６８０の削れる量が多くなるため、定着ベルトやベルト規制板が短寿命になってしまう。更に定着ベルトの寄り力が強い場合には定着ベルトの端部が破損したり、定着ベルトが座屈してしまうという問題が発生する場合もある。また、冷却部８０側では必要以上の端部冷却を行うことで、モータに不要な通電を行ってしまうため、省エネ性も本実施例に対し劣る。
【００６５】
このように１つのサーミスタのみで、両側の端部冷却部材を制御すると、転写材が中央付近を通過する場合は問題ないが、小サイズ記録材が中央基準で正しくセットされず、小サイズ記録材が中央通紙基準線から横に位置ずれした状態で片側基準搬送のように画像形成装置内に給紙・搬送されてしまう場合には、定着ベルトの短寿命化や破損の可能性、省エネ性の低下という問題が発生する場合がある。
【００６６】
以上説明したように、本実施例で左右の冷却部材を個別の温度検知手段で制御することで、定着ベルトの寄りを防止し、定着ベルトやベルト規制板が短寿命になってしまう。更に定着ベルトの寄り力が強い場合には定着ベルトの端部が破損したり、定着ベルトが座屈してしまうという問題を防止することができる。
【００６７】
［実施例２］
本実施例の動作を図１３を使い小サイズ記録材Pが中央基準で正しくセットされず、小サイズ記録材が中央通紙基準線から横に位置ずれした状態で片側基準搬送のように画像形成装置内に給紙・搬送されてしまう場合を説明する。本実施例では小サイズ記録材が中央通紙基準線から横に位置ずれした状態の時の左右温度差を低減できるようになっている。
【００６８】
まず、ジョブが開始（０００）されると、サーミスタ６３０による検知温度Ｔｈ1に基づき温度制御が行われる。またサーミスタ６３１およびサーミスタ６３２により温度検知が開始される(００１)。本実施例では104ｇｓｍのＡ４Ｒの転写材を通紙している。小サイズ記録材Pが通紙開始されると中央部はＴｈ1に基づいて制御されるため一定の温度であるが、非通紙部の温度は上昇する。本実施例では小サイズ記録材Ｐが冷却部８０に近い側に位置ずれした状態で通紙されている。非通紙部昇温は非通紙部の幅が広いほど温度が高くなるため、冷却部８１側の非通紙部の方が早く昇温する。
【００６９】
したがってサーミスタ６３２で検知される温度Ｔｈ３が先に２６０℃を検知し（００７）、冷却ファン８３のモータに通電を開始し、ファンを回転させる（０１１）。ファン８３で発生した風は、ダクト８５に案内され定着ベルト表面に吹きつけられることで、定着ベルト表面の温度が低下する。次にサーミスタ６３１で検知される温度Ｔｈ２とサーミスタ６３２で検知される温度Ｔｈ３を比較する(０１４)。本実施例の場合、小サイズ記録材Ｐが冷却部８０に近い側に位置ずれした状態で通紙されているＴｈ２の温度上昇はおそいため、Ｔｈ２はＴｈ３より低い温度になっている。
【００７０】
本実施例ではＴｈ２とＴｈ３の温度差が１０℃以上であれば、冷却ファン８３のモータに通電を継続し、ファンの回転を継続する（０１１）。Ｔｈ２とＴｈ３の温度差が１０℃以下になったらファンの回転を停止させる（０１５）。所定の間隔でＴｈ３の温度検知を繰り返すことで、冷却ファンはＯＦＦ/ＯＮ制御され、冷却部８１に対向する定着ベルト表面の温度は２３０℃以下で、左右の温度差も１０℃程度に維持される。この状態で小サイズ記録材Ｐ通紙を継続すると、Ｔｈ２も温度上昇をしていくため、最終的には定着ベルト表面の温度は両側ともに２３０℃程度を維持するようになる。
【００７１】
したがって、本実施例では非通紙領域の温度が上昇している間も左右温度差を低減できるため、加圧ローラの左右外形差を防止し、寄り力の発生を低減でき、定着ベルトの更なる長寿命化が達成できる。
【符号の説明】
【００７２】
６０：ヒータユニット
６５０：定着ベルト
６３０：中央サーミスタ
６３１：端部サーミスタ
６３２：端部サーミスタ
７０：加圧ローラ
８０：送風部
８１：送風部
８２：ファン
８３：ファン
８４：ダクト
８５：ダクト
【図１】
2019023681.tif 000003
【図２】
2019023681.tif 000004
【図３】
2019023681.tif 000005
【図４】
2019023681.tif 000006
【図５】
2019023681.tif 000007
【図６】
2019023681.tif 000008
【図７】
2019023681.tif 000009
【図８】
2019023681.tif 000010
【図９】
2019023681.tif 000011
【図１０】
2019023681.tif 000012
【図１１】
2019023681.tif 000013
【図１２】
2019023681.tif 000014
【図１３】
2019023681.tif 000015